(57)【要約】【課題】  ろ過紙を用いる液体ろ過装置では、金網容器の内側に袋状にしたろ過紙をセットし、その中にろ過すべき液体を入れてろ過していた。しかし、金網の網目は、細い金属線を交互に上にしたり下にしたりしながら編んで形成されているので、種々の形の凹凸部分が存在し、ろ過紙には強い力が加わる部分が出て来て、穴が開いてしまい易かった。【解決手段】  容器３内のろ過すべき液体２を、ポンプ８を含む流量制御部６により吸い出し、ろ過タンク１０に供給してろ過する。ろ過された液体は、パイプ２５より取り出される。ろ過タンク１０で鍔部２０に吊り下げられている内カゴ２１は、表面が滑らかな金属またはプラスチックで作られており、その側壁には多数の細孔が開けられている。その内側にろ過紙２２がセットされ、必要に応じて助剤２３が用いられる。ろ過すべき液体が入れられると、ろ過紙２２は表面が滑らかな内カゴ２１の内壁にペタッと張り付けられる形となるので、部分的に強い力が加えられることがなく、破れることはない。【選択図】        図１
0003107367.tif 000002
【実用新案登録請求の範囲】
【請求項１】
ろ過すべき液体をろ過タンクに供給して液体をろ過する液体ろ過装置において、
該ろ過タンクが、
壁面上部にはろ過すべき液体を導入する流入口を有し、下部にはろ過した液体を排出するパイプが接続され、内壁には鍔部が設けられたタンク下部と、
該タンク下部に対し止め具により着脱自在に合体されるタンク上部と、
壁面に多数の孔が開けられた滑らかな表面の円筒側壁部と、該円筒側壁部の上端に設けられ、前記鍔部に係止するための水平な縁部と、中央に抜穴が開けられた底部とから成り、前記タンク下部内に収容される内カゴと、
中央に中央孔が開けられた平板状の内カゴぶた本体と、該中央孔と内部が通ずるよう下方に植立された誘導管部と、該内カゴぶた本体の上面に設けられた取手とから成る内カゴぶたと、
螺旋流下ガイド部が施された引上棒本体と、その下部に取り付けられ前記抜穴を塞ぐ弁体と、該弁体の下方に延設され、前記抜穴に遊挿されて外に出た部分にナットが嵌められるねじ部とから成り、ナットとの締着を緩めて上下方向に揺することが出来るようにした引上棒と
を具えた構造とされ、
長方形のろ過紙を円筒状に丸めて前記内カゴの内壁に接するようセットし、タンク内に導入したろ過すべき液体を前記中央孔より入れ、内カゴの側壁の孔よりろ過された液体が出てくるようにしたことを特徴とする液体ろ過装置。
【請求項２】
内カゴの底部を、周縁は水平な底部肩として円筒側壁部の内壁に固着し、中央部分は凹ませて湾曲底部とし、その中央に抜穴を開けた構造とした
ことを特徴とする請求項１記載の液体ろ過装置。
【請求項３】
ろ過すべき液体をろ過タンクに供給して液体をろ過する液体ろ過装置において、
該ろ過タンクが、
壁面上部にはろ過すべき液体を導入する流入口を有し、下部にはろ過した液体を排出するパイプが接続され、内壁には鍔部が設けられたタンク下部と、
該タンク下部に対し止め具により着脱自在に合体されるタンク上部と、
壁面に多数の孔が開けられた滑らかな表面の円筒側壁部と、該円筒側壁部の上端に設けられ、前記鍔部に係止するための水平な縁部と、底部とから成り、前記タンク下部内に収容される内カゴと、
中央に中央孔が開けられた平板状の内カゴぶた本体と、該中央孔と内部が通ずるよう下方に植立された誘導管部と、該内カゴぶた本体の上面に設けられた取手とから成る内カゴぶたと
を具えた構造とされ、
長方形のろ過紙を円筒状に丸めて前記内カゴの内壁に接するようセットし、タンク内に導入したろ過すべき液体を前記中央孔より入れ、内カゴの側壁の孔よりろ過された液体が出てくるようにしたことを特徴とする液体ろ過装置。
【請求項４】
ろ過すべき液体をろ過タンクに供給して液体をろ過する液体ろ過装置において、
該ろ過タンクが、
壁面上部にはろ過すべき液体を導入する流入口を有し、下部にはろ過した液体を排出するパイプが接続され、内壁には鍔部が設けられたタンク下部と、
該タンク下部に対し止め具により着脱自在に合体されるタンク上部と、
壁面に多数の孔が開けられた滑らかな表面の円筒側壁部と、該円筒側壁部の上端に設けられ、前記鍔部に係止するための水平な縁部と、底部とから成り、前記タンク下部内に収容される内カゴと、
中央に中央孔が開けられた平板状の内カゴぶた本体と、該内カゴぶた本体の上面に設けられた取手とから成る内カゴぶたと
を具えた構造とされ、
長方形のろ過紙を円筒状に丸めて前記内カゴの内壁に接するようセットし、タンク内に導入したろ過すべき液体を前記中央孔より入れ、内カゴの側壁の孔よりろ過された液体が出てくるようにしたことを特徴とする液体ろ過装置。
【請求項５】
タンク上部内に吸臭材を装着したことを特徴とする請求項１，２，３または４記載の液体ろ過装置。
【考案の詳細な説明】
【技術分野】
【０００１】
本考案は、ろ過紙により固形不純物を除去する液体ろ過装置に関するものである。
【背景技術】
【０００２】
液体に混ざった固形不純物を除去することは、いろいろな分野において広く行われていることである。例えば、調理でフライを作る場合に使用する油は、フライを揚げていると次第に固形不純物が混ざってしまう。それを除去しないでフライを揚げていると、フライの揚がり具合が悪くなるので、随時、固形不純物を除去することが行われている。
除去するための１つの原理は、除去しようとする固形不純物のサイズより小さい目の網を用いて、こし取ることである。例えば、液体を金網や網かごを通すことにより除去される。
しかし、金網や網かごの目のサイズは、小さく作るといっても限度があり、あまり小さく作ることは出来ない。そこで、その限度以下の小さな固形不純物をも除去したいという場合は、ろ過紙が用いられる。
【０００３】
図８は、従来の液体ろ過装置を示す図である。図８において、２９は液体ろ過装置、３０は液体、３１は容器、３２はパイプ、３３はバルブ、３４は金網、３５は容器、３６は金網容器、３７はろ過紙、３８はパイプ、３９はバルブ、４０は容器である。
最初の容器３１は、その中に入れた液体３０を所定の用途に供するための容器である。例えば、液体３０はフライを揚げる油であり、容器３１はフライヤーである。容器３１の下部には液体排出用のパイプ３２，バルブ３３が設けられている。
【０００４】
金網３４は、大きなサイズの固形不純物（例、天かす）を、ざっと除去するためのものである。
中央の容器３５の中には、先ず金網容器３６がセットされ、その内側に袋状にしたろ過紙３７が広げられている。なお、この場合の金網容器３６は、袋状にしたろ過紙３７を支持すると共に、ろ過された液体を通過させるために使用されているのであり、その金網の目（例、３ｍｍ角程度の目）により固形不純物をこしとってやろうということで、用いられているわけではない。ろ過すべき液体は、ろ過紙３７の上から入れられる。容器３５の下部にも、液体排出用のパイプ３８，バルブ３９が設けられている。
最後の容器４０は、ろ過された液体３０を収容する容器である。
【０００５】
ろ過は、次のようにして行われる。
（１）バルブ３３の付いたパイプ３２の出口の下に、金網３４を置き、その下にろ過紙３７等を内部にセットした容器３５を置き、バルブ３３を開く。液体３０は、パイプ３２を通って容器３５に入れられる。
（２）液体３０は、ろ過紙３７によりろ過される。固形不純物は袋状のろ過紙３７内に残り、ろ過された液体は金網容器３６の目を通ってその外に出る。
（３）容器４０をバルブ３９の付いたパイプ３８の出口の下に置き、バルブ３９を開く。すると、容器３５の金網容器３６の外に出ていた液体３０が、容器４０に入れられる。
（４）容器４０に出て来た液体３０は、固形不純物がろ過紙３７で除去され、容器３１での使用に耐えられる液体となっている。そこで、矢印４１のように、容器３１に入れて再び使用に供する。
【考案の開示】
【考案が解決しようとする課題】
【０００６】
前記した従来の液体ろ過装置には、ろ過紙が直ぐに駄目になってしまうという問題点があった。即ち、金網容器３６の内側に袋状にしたろ過紙３７をセットし、その中にろ過すべき液体を入れると、液体の圧力でろ過紙３７は金網に押し付けられる。しかし金網の網目は、周知のように細い金属線を交互に上にしたり下にしたりしながら編んで形成されているから、種々の形の凹凸部分が存在する。その凹凸部分により、ろ過紙への力のかかり方が不均衡となり、大して使わないうちにろ過紙に穴が開いてしまうのが実情であった。従って、ろ過紙の消耗が激しかった。また、穴が開いてしまうと、ろ過が正常に行われなかったことになるから、結局、ろ過をやり直さなければならなかった。従来は、このような事態に立ち至ることがしばしばあった。
本考案は、以上のような問題点を解決することを課題とするものである。
【課題を解決するための手段】
【０００７】
前記課題を解決するため、本考案では、ろ過すべき液体をろ過タンクに供給して液体をろ過する液体ろ過装置において、該ろ過タンクが、上部壁面にはろ過すべき液体を導入する流入口を有し、下部にはろ過した液体を排出するパイプが接続され、内壁には鍔部が設けられたタンク下部と、該タンク下部に対し止め具により着脱自在に合体されるタンク上部とで構成され、該タンク下部の中に、次のものが収容される構造とした。
（１）壁面に多数の孔が開けられた滑らかな表面の円筒側壁部と、該円筒側壁部の上端に設けられ、前記鍔部に係止するための水平な縁部と、中央に抜穴が開けられた底部とから成り、前記タンク下部内に収容される内カゴ。
（２）中央に孔が開けられた平板状の内カゴぶた本体と、該中央孔と内部が通ずるよう下方に植立された誘導管部と、該内カゴぶた本体の上面に設けられた取手とから成る内カゴぶた。
（３）螺旋流下ガイド部が施された引上棒本体と、その下部に取り付けられ前記抜穴を塞ぐ弁体と、該弁体の下方に延設され、前記抜穴に遊挿されて外に出た部分にナットが嵌められるねじ部とから成り、該ナットとの締着を緩めて上下方向に揺することが出来るようにした引上棒。
このような構成の液体ろ過装置では、長方形のろ過紙を円筒状に丸めて前記内カゴの内壁に接するようセットし、タンク内に導入したろ過すべき液体を前記中央孔より入れれば、内カゴの側壁の孔よりろ過された液体が出てくる。
【０００８】
前記した内カゴの底部については、周縁は水平な底部肩として円筒側壁部の内壁に固着され、中央部分は凹ませて湾曲底部とされ、その中央に抜穴が開けられた構造としてもよい。
なお、引上棒は必須のものではなく省略することが出来る。引上棒を省略した場合には、それに伴い内カゴの底部の抜穴や内カゴぶたの誘導管部も省略することが出来る。また、タンク上部内には、必要に応じて吸臭材を装着することも出来る。
【考案の効果】
【０００９】
本考案の液体ろ過装置によれば、ろ過紙は、多くの細孔（約２ｍｍφ位）が開けられた表面滑らかな部材（金属またはプラスチック）で形成した内カゴにセットされるので、ろ過紙は滑らかな表面にペタッと張り付けられる形となる。そのため、部分的に強い力が加わることもなくなり、ろ過紙に穴が開いてしまうというようなことがなくなる。
【考案を実施するための最良の形態】
【００１０】
以下、本考案の実施形態を図面に基づいて詳細に説明する。
図１は、本考案にかかわる液体ろ過装置を示す図である。図１において、１は液体ろ過装置、２は液体、３は容器、４はフィルター、５はパイプ、５Ａは流入口、６は流量制御部、６−１，６−２は流路、７はバルブ、８はポンプ、９はモーター、９−１は電源端子、１０はろ過タンク、１１はタンク上部、１２は吊下支持棒、１３は支持板、１４は吸臭材、１５は蝶ねじ、１６は止め具、１７はタンク下部、１８は引上棒、１９は内カゴぶた、２０は鍔部、２１は内カゴ、２２はろ過紙、２３は助剤、２４はナット、２５はパイプ、２６はバルブ、１８３は弁体、１９４は誘導管部である。
【００１１】
容器３内の液体２は、ろ過すべき液体、即ち固形不純物が混ざっている液体である。この液体２は、容器３→流量制御部６→ろ過タンク１０の経路を経てろ過される。パイプ５にはろ過前の液体が流れており、パイプ２５にはろ過後の液体が流れている。以下順を追って詳細に説明する。
容器３の液体２を取り出すパイプ５の入口には、フィルター４が取り付けられている。フィルター４は、粗大な固形不純物がパイプ５内に入り込まないようにするためのものである。容器３に残される粗大な固形不純物は、金網等ですくい取るなどして、容易に除去することが出来る。この液体ろ過装置では、フィルター４を通過してしまうような、細かな固形不純物をろ過する。
【００１２】
流量制御部６は、容器３から取り出す液体２の流量を制御する部分である。図示した例では、開度が制御できるバルブ７が設置された流路５−１と、ポンプ８が設置された流路５−２とを並列接続して構成されている。ポンプ８は、モーター９によって駆動され、モーター９への電源は電源端子９−１から供給される。
容器３内の液体２は、ポンプ８の吸引力により吸い出されるが、その流量はバルブ７の開度を制御することにより制御される（開度を小にすると全体の流量は多くなり、開度を大にすると全体の流量は少なくなる。）。
【００１３】
ろ過タンク１０は、大きく分けてタンク上部１１とタンク下部１７とから構成され、両者は止め具１６で着脱自在に合体され、内部は密閉される。ろ過タンク１０の内部の手入れをする場合（例、吸臭材１４の交換，ろ過紙２２の交換）、タンク上部１１は取り外される。
タンク上部１１の中には、臭いを取るための構造が施されている。タンク上部１１の内部天井には吊下支持棒１２が取り付けられ、その下端には先ず支持板１３が挿通され、その下から蝶ねじ１５がねじ込まれる。蝶ねじ１５は、支持板１３が落下しないようにする。支持板１３は、その上に吸臭材１４（例、竹炭，活性炭等）を載せて支持するためのものである。
【００１４】
図７は、本考案で使用する支持板１３の１例を示す図であり、１３１は支持板本体、１３２は孔、１３３は支持棒挿通穴である。支持棒挿通穴１３３は、先に述べた吊下支持棒１２を挿通するための穴である。孔１３２は、ろ過すべき液体２を通流させるための細孔であり、支持板本体１３１に数多く設けられる。図１で矢印で示すように、ろ過すべき液体は、支持板１３の下方からこの孔１３２を通って上部へ入り、吸臭材１４に接触して臭いを除去され、再び孔１３２を通って下方に出て来る。
【００１５】
タンク下部１７の中には、固形不純物をろ過するための構造が施されている。まず概要を説明しておく。図１に示す流入口５Ａより下の位置の内壁に、鍔部２０が設けられ、その鍔部２０に内カゴ２１が係止される。内カゴ２１には、内カゴぶた１９が被せられる。内カゴぶた１９の中央には、誘導管部１９４が設けられており、この中に引上棒１８が挿入され、その先端が内カゴ２１の底部にねじ止めされる。
ろ過を実行するときには、タンク上部１１を外し、内カゴぶた１９を取り、ろ過紙２２を内カゴ２１の内壁に接するようセットする。そして、内カゴ２１の底部に、適宜の量の助剤２３（例、セルロース製，珪藻土製等の）を入れ、内カゴぶた１９やタンク上部１１を元に戻す。
【００１６】
図２は、本考案で使用する内カゴ２１を示す図であり、図２（１）は斜視図、図２（２）は断面図である。図２において、２１０は縁部、２１１は円筒側壁部、２１２は孔、２１３は湾曲底部、２１４は抜穴、２１５は底部肩である。
内カゴ２１は、円筒側壁部２１１および湾曲底部２１３を有し、側壁の上端には水平方向に縁部２１０が延設される。この縁部２１０は、図１の鍔部２０に係止するのに利用される。湾曲底部２１３の中央には抜穴２１４が開けられており、湾曲底部２１３の周縁付近は、水平とされて底部肩２１５を形成する。抜穴２１４は、内カゴ２１の内部に溜まったゴミを抜くための穴であり、図１の引上棒１８の下端が遊挿される。底部肩２１５には、図１のろ過紙２２が立てられる。
【００１７】
円筒側壁部２１１の側壁の内、底部肩２１５の位置より上方の部分には、孔２１２が多数開けられる。この孔は、ろ過紙２２を通過した液体を、内カゴ２１の外側に出すための孔である（約２ｍｍφ位）。
内カゴ２１は金属またはプラスチックにより作られるが、この孔２１２は、金属の場合にはパンチングにより開けられ、プラスチックの場合には予めの成形により開けられる。
【００１８】
図３は、本考案で使用するろ過紙２２を示す図である。図３（１）は使用前の状態を示し、図３（２）は使用時の状態を示している。本考案では、単純形状である長方形のろ過紙２２を使用することが出来る。長方形の縦の長さを、内カゴ２１の底部肩２１５から上端までの長さにする。そのようなろ過紙２２を、図３（２）のように円筒状に丸め、内カゴ２１の底部肩２１５の上に立てる。中にろ過すべき液体が入れられると、ろ過紙２２は液体に押されて外方に広がり、内カゴ２１の滑らかな表面の内壁にピタッと接することになる。
【００１９】
図４は、本考案で使用する引上棒１８を示す図である。図４において、１８１は引上棒本体、１８２は螺旋流下ガイド部、１８３は弁体、１８４はねじ部である。引上棒１８は、引上棒本体１８１と弁体１８３とねじ部１８４とで構成される。弁体１８３は引上棒本体１８１の下部に設けられ、ねじ部１８４は弁体１８３の下方に設けられる。引上棒本体１８１には、螺旋流下ガイド部１８２が施される。
図４（１）は引上棒本体１８１を丸い棒で形成した例を示し、図４（２）は細長い平板で形成した例を示している。
【００２０】
まず，図４（１）の例を説明する。この例では、丸い棒で出来ている引上棒本体１８１の周面に、螺旋状の溝を設け、これを螺旋流下ガイド部１８２としている。図１に示すように、引上棒１８は誘導管部１９４の中に挿入されているが、誘導管部１９４の上から液体が入れられると、引上棒１８の周辺で流下する液体は、その流れがこの螺旋流下ガイド部１８２にガイドされ、螺旋状に回りながら流下することになる。
弁体１８３は、内カゴ２１の抜穴２１４を塞ぐための弁体である。ねじ部１８４は、抜穴２１４に遊挿され、その外側に出た部分に図１のナット２４が嵌められる。ナット２４を締めることにより、弁体１８３が抜穴２１４をしっかりと塞ぐ。
次に図４（２）の例を説明する。この例は、細長い平板を捻じることにより、螺旋流下ガイド部１８２を形成するようにしたものである。これは、図４（１）のものより安いコストで製作することが出来る。他の部分は図４（１）の例と同様である。
【００２１】
図５は、本考案で使用する内カゴぶた１９を示す図であり、図５（１）は斜視図，図５（２）は断面図である。図５において、１９１は内カゴぶた本体、１９２は中央孔、１９３は取手、１９４は誘導管部である。内カゴぶた本体１９１は、中央に中央孔１９２が開けられた円板上のものであり、その中央部より下方には誘導管部１９４が植立され、上方には取手１９３が植立されている。なお、取手１９３の形状は縁部を有する円筒状のものとして描かれているが、この形状に限定されるわけではない。ふたを持ち上げる取手の機能を果たしさえすれば、他の形状でもよい。
この内カゴぶた１９は、図１に示すように、内カゴ２１の上に被せられ、中央孔１９２には引上棒１８が挿入される。引上棒１８の下端は先に説明したように、内カゴ２１の底部の抜穴２１４より外に出され、ナット２４により湾曲底部２１３に取り付けられる。そうすると、誘導管部１９４の内壁と引上棒１８との間に隙間が出来るが、そこにろ過すべき液体が入れられる。
【００２２】
図６は、引上棒１８の作用を説明する図である。引上棒１８には主として２つの作用がある。
第１の作用は、液体を螺旋状に流下させるという作用である。螺旋状に流下させることにより、流れが整えられ速やかに流すことが出来ると共に、湾曲底部２１３の底に溜まり勝ちな助剤２３を、周辺に均等に拡散させることが出来る。均等に拡散すると、円筒にされたろ過紙２２の内壁に均等に付着してくれて、ろ過に好都合である。
第２の作用は、内カゴ２１の湾曲底部２１３に溜まったゴミを除去するという作用である。この作用を、図６により説明する。
【００２３】
図６（１）はゴミを除去する前の状態を示し、図６（２）はゴミを除去している状態を示している。符号は図１〜図５のものに対応している。
図６（１）では、ろ過すべき液体の新たな流入は停止され、ろ過が一段落している。タンク下部１７に残っているろ過後の液体も、やがて徐々にパイプ２５を通って排出される。このような場合には、ろ過紙２２に付着しなかった助剤２３とか、ろ過によって内部に残留している固形不純物とかが、湾曲底部２１３にゴミとなって溜まる。
そこで、引上棒１８の上端を持ってナット２４が緩む方向に捻じると、ナット２４による締め付け力がなくなり、弁体１８３が抜穴２１４から離れ、抜穴２１４が通ずる。更に緩む方向に捻じり続けると、図６（２）に示すように、ナット２４の位置は弁体１８３からより一層離れた位置となり、引上棒１８を上下に揺することが出来るようになる。上下に揺すってやると、溜まっていたゴミは抜穴２１４から外へ液体と共に出て行く。
【００２４】
以上のような各部によって、本考案の液体ろ過装置は構成される。ろ過作業の手順をまとめて説明すると、次の通りである（図１等参照）。
（１）タンク上部１１に関する準備…タンク上部１１を外し、吸臭材１４を装着する。
（２）タンク下部１７に関する準備…内カゴぶた１９を外し、ろ過紙２２を図３（２）の如く丸め、内カゴ２１の内部にセットする。必要に応じて、助剤２３を内カゴ２１内に入れる（助剤２３を使用すると、１ミクロン程度以上の固形不純物を除去することが出来、「精密ろ過」と言われるろ過を実現することが出来る。助剤を使用しなければ、ろ過紙２２の目の大きさ（７ミクロン程度）以上の固形不純物を除去することが出来る。）。最後に内カゴぶた１９をセットする。
【００２５】
（３）ろ過タンク１０に関する準備…タンク下部１７の上にタンク上部１１を重ね、止め具１６により止めて合体する。
（４）ろ過すべき液体２の吸い出し…モーター９により流量制御部６のポンプ８を駆動し、容器３の液体２を吸い出し、ろ過タンク１０へ供給する。
（５）ろ過タンク１０内での液体２の流れ…流入口５Ａから流入した液体２は、ろ過タンク１０内に充満する。液体２は、吸臭材１４と接触して脱臭されると共に、内カゴぶた１９の中央孔より引上棒１８の螺旋流下ガイド部１８２にガイドされ螺旋状に流下する。内カゴ２１の湾曲底部２１３に入れてあった助剤２３は、螺旋状に巻き上げられて均一に拡散され、ろ過紙２２の内面に付着する。
【００２６】
（６）ろ過作用…液体２は助剤２３とろ過紙２２とによりろ過される。ろ過された液体２は、内カゴ２１に開けられた孔２１２を通って外へ出る。外へ出た液体２は、パイプ２５を通って容器３へ連続的に戻すことにより連続的に再利用することも出来るし、パイプ２５に取付けたバルブ２６を開いて、図示しない容器に保存しておくことも出来る。
（７）ろ過後のゴミ処理…引上棒１８の上端を捻じってナット２４をゆるめ、弁体１８３とナット２４との間隔が開いたところで、引上棒１８を上下方向に揺する。湾曲底部２１３に溜まっていたゴミは、抜穴２１４を通って外部へ排出される。
【００２７】
ところで、前記のように内カゴ２１の内側にセットしたろ過紙２２は、相当回数使用しても破れてしまうことはない。図８で説明した従来の液体ろ過装置のろ過紙３７は、直ぐに破れてしまうが、それと比べると格段の差がある。
これは、ろ過紙２２を接触させ、ろ過した液体を通過させる構造部として、滑らかな面に多数の細孔を開けた構造の内カゴ２１を用いるようにしたためである。即ち、ろ過紙２２は、滑らかな面に密着させられるので、液体による押圧力を受けても部分的に力が強くかかったり弱くかかったりすることがない。そのため、破れることが殆どない。従って、ろ過をやり直さなければならない事態に立ち至ることもない。
【００２８】
なお、次の構成部分は、必要に応じて省略することが出来る。
（１）吸臭材１４…ろ過すべき液体２の臭いが、それほど悪いものではなく、脱臭する必要はないという場合は、省略することが出来る。
（２）引上棒１８…助剤２３を併用すると、その残留物がゴミの主要部分を占めるので、それを除去するため引上棒１８は必要である。しかし、助剤２３を併用しなかったり、それほどゴミが溜まらない種類の液体であったりする場合には、引上棒１８を省略することが出来る。
（３）誘導管部１９４…これは引上棒１８の螺旋流下ガイド部１８２と相俟って、螺旋流を生ぜしめるためのものであるから、引上棒１８を省略する場合には、これも省略することが出来る。
（４）抜穴２１４…これは引上棒１８を上下に揺すってゴミを排出するためのものであるから、引上棒１８を省略する場合には、これも省略することが出来る。
（５）湾曲底部２１３…湾曲にしている理由は、螺旋流下した液体が助剤２３を巻き上げて拡散する場合に、均一に拡散し易くするためや、ゴミが底部中央の抜穴２１４近くに集まり易くするためのものである。従って、引上棒１８を省略する場合には、わざわざ湾曲にする必要はなく、平らな底部とすることが出来る。
【図面の簡単な説明】
【００２９】
【図１】本考案にかかわる液体ろ過装置を示す図
【図２】本考案で使用する内カゴを示す図
【図３】本考案で使用するろ過紙を示す図
【図４】本考案で使用する引上棒を示す図
【図５】本考案で使用する内カゴぶたを示す図
【図６】引上棒の作用を説明する図
【図７】本考案で使用する支持板を示す図
【図８】従来の液体ろ過装置を示す図
【符号の説明】
【００３０】
１…液体ろ過装置、２…液体、３…容器、４…フィルター、５…パイプ、５Ａ…流入口、６…流量制御部、６−１，６−２…流路、７…バルブ、８…ポンプ、９…モーター、９−１…電源端子、１０…ろ過タンク、１１…タンク上部、１２…吊下支持棒、１３…支持板、１４…吸臭材、１５…蝶ねじ、１６…止め具、１７…タンク下部、１８…引上棒、１９…内カゴぶた、２０…鍔部、２１…内カゴ、２２…ろ過紙、２３…助剤、２４…ナット、２５…パイプ、２６…バルブ、２９…液体ろ過装置、３０…液体、３１…容器、３２…パイプ、３３…バルブ、３４…金網、３５…容器、３６…金網容器、３７…ろ過紙、３８…パイプ、３９…バルブ、４０…容器、１３１…支持板本体、１３２…孔、１３３…支持棒挿通穴、１８１…引上棒本体、１８２…螺旋溝、１８３…弁体、１８４…ねじ部、１９１…内カゴぶた本体、１９２…中央孔、１９３…取手、１９４…誘導管部、２１０…縁部、２１１…円筒側壁部、２１２…孔、２１３…湾曲底部、２１４…抜穴、２１５…底部肩
【図１】
0003107367.tif 000003
【図２】
0003107367.tif 000004
【図３】
0003107367.tif 000005
【図４】
0003107367.tif 000006
【図５】
0003107367.tif 000007
【図６】
0003107367.tif 000008
【図７】
0003107367.tif 000009
【図８】
0003107367.tif 000010